(57)【要約】【課題】脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）となる自動壁紙糊付機を提供する。【解決手段】壁紙の裏面に、糊を自動的に塗布するように構成した壁紙糊付機本体１２と、壁紙糊付機本体１２に対して、開閉可能に軸支された脚部フレーム１６と、脚部フレーム１６の壁紙糊付機本体１２に対する開閉を制御する開閉制御装置１００を備え、開閉制御装置１００が、脚部フレーム１６を壁紙糊付機本体１２に対して閉じる方向に付勢するように構成されている。【選択図】図３
2020104468.tif 000002
【特許請求の範囲】
【請求項１】
壁紙の裏面に、糊を自動的に塗布するように構成した壁紙糊付機本体と、
前記壁紙糊付機本体に対して、開閉可能に軸支された脚部フレームと、
を備えた自動壁紙糊付機であって、
前記脚部フレームの壁紙糊付機本体に対する開閉を制御する開閉制御装置を備え、
前記開閉制御装置が、脚部フレームを壁紙糊付機本体に対して閉じる方向に付勢するように構成されていることを特徴とする自動壁紙糊付機。
【請求項２】
壁紙の裏面に、糊を自動的に塗布するように構成した壁紙糊付機本体と、
前記壁紙糊付機本体を支持する基台フレームとを備え、
前記基台フレームが、
前記壁紙糊付機本体を支持する略矩形状の水平支持フレームと、
前記水平支持フレームに対して、開閉可能に軸支された脚部フレームと、
を備えた自動壁紙糊付機であって、
前記脚部フレームの水平支持フレームに対する開閉を制御する開閉制御装置を備え、
前記開閉制御装置が、脚部フレームを水平支持フレームに対して閉じる方向に付勢するように構成されていることを特徴とする請求項１に記載の自動壁紙糊付機。
【請求項３】
前記開閉制御装置が、水平支持フレームと脚部フレームとの間に連結されたアーム部材を備え、
前記アーム部材が、水平支持フレームと脚部フレームのいずれか一方に、その一方の連結端が回動可能に連結され、
前記アーム部材の他方の端部が連結される開閉付勢機構とを備え、
前記開閉付勢機構が、前記アーム部材の他方の端部を付勢して、前記脚部フレームを水平支持フレームに対して閉じる方向に付勢する付勢部材を備えることを特徴とする請求項２に記載の自動壁紙糊付機。
【請求項４】
前記開閉付勢機構が、前記アーム部材の他方の端部が、案内される軸方向案内部材を備え、
前記アーム部材の他方の端部が、軸方向案内部材に沿って、前記付勢部材の付勢力によって、前記脚部フレームを水平支持フレームに対して閉じる方向に付勢されるように構成されていることを特徴とする請求項３に記載の自動壁紙糊付機。
【請求項５】
前記開閉制御装置が、水平支持フレームの少なくとも１つの角部に設けられていることを特徴とする請求項２から４のいずれかに記載の自動壁紙糊付機。
【請求項６】
前記開閉制御装置が、水平支持フレームまたは脚部フレームのいずれか一方の内部に設けられていることを特徴とする請求項２から４のいずれかに記載の自動壁紙糊付機。
【請求項７】
前記開閉制御装置が、水平支持フレームまたは脚部フレームのいずれか一方の外部に設けられていることを特徴とする請求項２から６のいずれかに記載の自動壁紙糊付機。
【請求項８】
前記開閉制御装置の付勢力が、調整自在に構成されていることを特徴とする請求項１から７のいずれかに記載の自動壁紙糊付機。
【発明の詳細な説明】
【技術分野】
【０００１】
本発明は、壁紙（クロス）の裏面に、例えば、天井、壁面に貼着するための糊を、自動的に塗布するめの自動壁紙糊付機であって、壁紙糊付機本体を支持する略矩形状の水平支持フレームと、水平支持フレームに対して、開閉可能に軸支された脚部フレームとを備えた自動壁紙糊付機において、運搬時、設置時において、不用意に水平支持フレームに対して、脚部フレームが開いた状態（開脚状態）となることのない自動壁紙糊付機に関する。
【背景技術】
【０００２】
従来より、内装の施工において、壁紙施工については、新築、リフォームなどの場合に、専門の内装施工業者が、施工現場に専用の自動壁紙糊付機を持ち込んで、自動壁紙糊付機を用いて壁紙の裏面に糊付けをして、施工する場合が多い。
【０００３】
図１７は、このような壁紙施工に使用される従来の自動壁紙糊付機２００の斜視図である。
【０００４】
従来の自動壁紙糊付機２００は、図１７に示したように、壁紙糊付機本体２０２を備えている。また、壁紙糊付機本体２０２は、上部が開放して糊付される壁紙の搬送を見ることができる状態の略箱体形状の本体フレーム２０４を備えている。
【０００５】
さらに、本体フレーム２０４の下方には、基台フレーム２０１を備えており、この基台フレーム２０１は、図示しないが、壁紙糊付機本体２０２（本体フレーム２０４）を支持する略矩形状の水平支持フレームを備えている。
【０００６】
そして、本体フレーム２０４の左右の側部の両端の下方には、図１７の矢印Ｊで示したように、水平支持フレームに対して開閉可能に装着された一対の脚部フレーム２０６を備えている。
【０００７】
なお、基台フレーム２０１と壁紙糊付機本体２０２（本体フレーム２０４）とは、運搬性を考慮して、図示しないが、例えば、いわゆる「パチン錠」などの締結部材によって、脱着自在な構成となっている。
【０００８】
この本体フレーム２０４は、図１７に示したように、上部フレーム２０８と、下部フレーム２１０とから構成されている。そして、上部フレーム２０８の上部には、左右方向に離間して配置された一対の把手２０８ｃを備えている。
【０００９】
この把手２０８ｃを把持して操作することによって、後述するように、壁紙Ｇを壁紙糊付機本体２０２に配置したり、メンテナンスのために、下部フレーム２１０に対して、図示しないピボット軸を回動中心として、図１７の矢印Ｉで示したように、開閉可能なように構成されている。
【００１０】
なお、図示しないが、上部フレーム２０８と、下部フレーム２１０には、上部フレーム２０８を下部フレーム２１０に対して閉じた状態で固定するために、例えば、いわゆる「パチン錠」などの係止具が設けられている。
【００１１】
また、上部フレーム２０８は、左右の側部を構成する、側板部２０８ａ、２０８ｂを備えている。
【００１２】
一方、図１７に示したように、脚部フレーム２０６の下端には、係止可能なローラー２１４が設けられており、これにより、自動壁紙糊付機２００を所望の位置に移動、配置することが可能になっている。
【００１３】
さらに、図１７に示したように、下部フレーム２１０は、左右の側部を構成する、側板部２１０ａ、２１０ｂを備えている。この下部フレーム２１０の一方の側板部２１０ａには、歯車連結機構などの駆動装置を内蔵するとともに、自動壁紙糊付機２００を制御するための制御装置や駆動モーターが内蔵された駆動部２１６が設けられている。
【００１４】
また、この駆動部２１６の下流側、すなわち、図１７において手前側には、測定された壁紙の長さ（測長結果）を表示したり、駆動モーターを駆動制御したり、壁紙Ｇの種類などの情報を入力するための表示・操作パネル部２１８が設けられている。なお、この駆動部２１６は、下部フレーム２１０の一方の側板部２１０ａに脱着自在に構成されているか、または、固着されている。
【００１５】
さらに、図１７に示したように、一対の脚部フレーム２０６には、壁紙Ｇが巻かれた壁紙原反ロール２２２を回転可能に、かつ、脱着自在に装着するための原反装着架台２２４が設けられている。
【００１６】
そして、図示しないが、従来公知の壁紙糊付機本体２０２の糊付け機構によって、原反装着架台２２４の壁紙原反ロール２２２から送り出された壁紙壁紙Ｇは、自動壁紙糊付機２００の壁紙糊付機本体２０２を通過することによって、壁紙Ｇの裏面ＧＢに糊が塗布される。
【００１７】
そして、必要に応じて、適宜、乾燥防止用フィルムＢ、カットテープＣが、壁紙Ｇの裏面ＧＢの糊付け面に貼着された壁紙Ｇが、手動または自動で、別途図示しない巻取り装置で巻き取られるようになっている。
【００１８】
または、図１７の点線で示したように、一対の脚部フレーム２０６の間に設けられた傾斜した略板形状の壁紙受け部２２０、または、そのまま床上において、図１７において手前側の壁紙排出部２１９から排出された糊付けされた壁紙Ｇを受ける壁紙糊付機本体２０２の下方に手動で折り畳むように構成されている。
【先行技術文献】
【特許文献】
【００１９】
【特許文献１】特許第４９４７６２９号公報
【発明の概要】
【発明が解決しようとする課題】
【００２０】
ところで、施工現場に専用の自動壁紙糊付機を持ち込んで、自動壁紙糊付機を用いて壁紙の裏面に糊付けをして施工する場合、施工現場への搬入時などには、図示しないが、例えば、いわゆる「パチン錠」などの締結部材による締結状態を解除して、基台フレーム２０１と壁紙糊付機本体２０２（本体フレーム２０４）とを別々に、トラックなどに積み込んで搬送している。
【００２１】
この際、基台フレーム２０１は、図１７の矢印Ｊで示したように、水平支持フレームに対して、一対の脚部フレーム２０６は閉じた状態（閉脚状態）にしている。
【００２２】
そして、トラックなどから降ろして、施工現場まで搬送する際には、基台フレーム２０１は、図１７の矢印Ｊで示したように、水平支持フレームに対して、一対の脚部フレーム２０６は開いた状態（開脚状態）にしている。
【００２３】
そして、いわゆる「パチン錠」などの締結部材による締結状態にして、基台フレーム２０１上に、壁紙糊付機本体２０２（本体フレーム２０４）を固定して、自動壁紙糊付機２００を組み立てている。
【００２４】
この状態で、脚部フレーム２０６の下端に設けられた係止可能なローラー２１４を利用して、自動壁紙糊付機２００を施工現場まで運搬している。
【００２５】
ところで、この際には、水平支持フレームに対して、一対の脚部フレーム２０６を、開いた状態（開脚状態）、閉じた状態（閉脚状態）で、確実にロックできるように構成した壁紙糊付機が、特許文献１（特許第４９４７６２９号公報）に開示されている。
【００２６】
この特許文献１の壁紙糊付機により、脚の開閉作業が容易で、かつ、脚を開脚状態および閉脚状態で、水平支持フレームに対して、脚部フレーム２０６を、それぞれ確実にロックできるようになっている。
【００２７】
しかしながら、特許文献１の自動壁紙糊付機２００では、水平支持フレームに対して、脚部フレーム２０６を、閉じた状態（閉脚状態）でロックした状態から、そのロックを解除した場合には、水平支持フレームに対して、脚部フレーム２０６がフリーの状態となる。
【００２８】
これにより、脚部フレーム２０６が、その自重によって、振り子運動で９０度開いた状態となってしまうことになる。このように、脚部フレーム２０６が、閉じた状態（閉脚状態）から、急激に開いた状態（開脚状態）になってしまうと、開く際に強い衝撃があり、足に当たったり、指などを詰め、ゲガをするおそれがある。
【００２９】
本発明は、このような現状に鑑み、脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）となる自動壁紙糊付機を提供することを目的とする。
【００３０】
これにより、脚部フレームが、閉じた状態（閉脚状態）から、急激に開いた状態（開脚状態）になることがなく、開く際にも強い衝撃が発生することなく、脚部フレームが、足に当たることなく、指などを詰めず、ゲガをするおそれのない安全で便利な自動壁紙糊付機を提供することを目的とする。
【課題を解決するための手段】
【００３１】
本発明は、前述したような従来技術における課題及び目的を達成するために発明されたものであって、本発明の自動壁紙糊付機は、
壁紙の裏面に、糊を自動的に塗布するように構成した壁紙糊付機本体と、
前記壁紙糊付機本体に対して、開閉可能に軸支された脚部フレームと、
を備えた自動壁紙糊付機であって、
前記脚部フレームの壁紙糊付機本体に対する開閉を制御する開閉制御装置を備え、
前記開閉制御装置が、脚部フレームを壁紙糊付機本体に対して閉じる方向に付勢するように構成されていることを特徴とする。
【００３２】
このように構成することによって、脚部フレームの壁紙糊付機本体に対する開閉を制御する開閉制御装置を備えており、開閉制御装置が、脚部フレームを壁紙糊付機本体に対して閉じる方向に付勢するように構成されている。
【００３３】
従って、この開閉制御装置の脚部フレームを壁紙糊付機本体に対して閉じる方向に付勢する付勢力によって、脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）となる。
【００３４】
これにより、脚部フレームが、閉じた状態（閉脚状態）から、急激に開いた状態（開脚状態）になることがなく、開く際にも強い衝撃が発生することなく、脚部フレームが、足に当たることなく、指などを詰めず、ゲガをするおそれのない安全で便利な自動壁紙糊付機を提供することができる。
【００３５】
また、本発明の自動壁紙糊付機は、
壁紙の裏面に、糊を自動的に塗布するように構成した壁紙糊付機本体と、
前記壁紙糊付機本体を支持する基台フレームとを備え、
前記基台フレームが、
前記壁紙糊付機本体を支持する略矩形状の水平支持フレームと、
前記水平支持フレームに対して、開閉可能に軸支された脚部フレームと、
を備えた自動壁紙糊付機であって、
前記脚部フレームの水平支持フレームに対する開閉を制御する開閉制御装置を備え、
前記開閉制御装置が、脚部フレームを水平支持フレームに対して閉じる方向に付勢するように構成されていることを特徴とする。
【００３６】
このように構成することによって、脚部フレームの水平支持フレームに対する開閉を制御する開閉制御装置を備えており、開閉制御装置が、脚部フレームを水平支持フレームに対して閉じる方向に付勢するように構成されている。
【００３７】
従って、この開閉制御装置の脚部フレームを水平支持フレームに対して閉じる方向に付勢する付勢力によって、脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）となる。
【００３８】
これにより、脚部フレームが、閉じた状態（閉脚状態）から、急激に開いた状態（開脚状態）になることがなく、開く際にも強い衝撃が発生することなく、脚部フレームが、足に当たることなく、指などを詰めず、ゲガをするおそれのない安全で便利な自動壁紙糊付機を提供することができる。
【００３９】
また、本発明の自動壁紙糊付機は、
前記開閉制御装置が、水平支持フレームと脚部フレームとの間に連結されたアーム部材を備え、
前記アーム部材が、水平支持フレームと脚部フレームのいずれか一方に、その一方の連結端が回動可能に連結され、
前記アーム部材の他方の端部が連結される開閉付勢機構とを備え、
前記開閉付勢機構が、前記アーム部材の他方の端部を付勢して、前記脚部フレームを水平支持フレームに対して閉じる方向に付勢する付勢部材を備えることを特徴とする。
【００４０】
このように構成することによって、アーム部材が、水平支持フレームと脚部フレームのいずれか一方に、その一方の連結端が回動可能に連結され、アーム部材の他方の端部が連結される開閉付勢機構とを備えている。
【００４１】
また、開閉付勢機構が、前記アーム部材の他方の端部を付勢して、前記脚部フレームを水平支持フレームに対して閉じる方向に付勢する付勢部材を備えている。
【００４２】
従って、開閉付勢機構の付勢部材によって、アーム部材の他方の端部が、脚部フレームを水平支持フレームに対して閉じる方向に付勢する方向に付勢されることになる。
【００４３】
この付勢部材の脚部フレームを水平支持フレームに対して閉じる方向に付勢する付勢力によって、脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）となる。
【００４４】
これにより、脚部フレームが、閉じた状態（閉脚状態）から、急激に開いた状態（開脚状態）になることがなく、開く際にも強い衝撃が発生することなく、脚部フレームが、足に当たることなく、指などを詰めず、ゲガをするおそれのない安全で便利な自動壁紙糊付機を提供することができる。
【００４５】
また、本発明の自動壁紙糊付機は、
前記開閉付勢機構が、前記アーム部材の他方の端部が、案内される軸方向案内部材を備え、
前記アーム部材の他方の端部が、軸方向案内部材に沿って、前記付勢部材の付勢力によって、前記脚部フレームを水平支持フレームに対して閉じる方向に付勢されるように構成されていることを特徴とする。
【００４６】
このように構成することによって、アーム部材の他方の端部が、軸方向案内部材に沿って、付勢部材の付勢力によって、脚部フレームを水平支持フレームに対して閉じる方向に付勢されるようになっている。
【００４７】
従って、アーム部材の他方の端部が、軸方向案内部材に沿って、付勢部材の付勢力によって、アーム部材の他方の端部が、脚部フレームを水平支持フレームに対して閉じる方向に付勢する方向に付勢されることになる。
【００４８】
この付勢部材の脚部フレームを水平支持フレームに対して閉じる方向に付勢する付勢力によって、脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）とすることができる。
【００４９】
また、本発明の自動壁紙糊付機は、前記開閉制御装置が、水平支持フレームの少なくとも１つの角部に設けられていることを特徴とする。
【００５０】
このように、開閉制御装置が、水平支持フレームの少なくとも１つの角部に設けられているのが望ましい。
【００５１】
また、本発明の自動壁紙糊付機は、前記開閉制御装置が、水平支持フレームまたは脚部フレームのいずれか一方の内部に設けられていることを特徴とする。
【００５２】
このように、開閉制御装置が、水平支持フレームまたは脚部フレームのいずれか一方の内部に設けられているので、脚部フレームを水平支持フレームに対して、閉じた状態（閉脚状態）と開いた状態（開脚状態）との間で開閉操作する際に邪魔にならず、また、運搬、壁紙施工の際にも邪魔にならず便利である。
【００５３】
また、本発明の自動壁紙糊付機は、前記開閉制御装置が、水平支持フレームまたは脚部フレームのいずれか一方の外部に設けられていることを特徴とする。
【００５４】
このように、開閉制御装置が、水平支持フレームまたは脚部フレームのいずれか一方の外部に設けられていても良い。
【００５５】
この場合には、開閉制御装置が故障などした場合にも、部品などの交換が容易であって便利である。
【００５６】
また、本発明の自動壁紙糊付機は、前記開閉制御装置の付勢力が、調整自在に構成されていることを特徴とする。
【００５７】
このように、開閉制御装置の付勢力が、調整自在に構成されていれば、例えば、開閉制御装置による、脚部フレームを壁紙糊付機本体に対して閉じる方向に付勢する付勢力が大きいと、脚部フレームを開いた状態の途中で止まってしまい、さらに、作業者が手などで、脚部フレームを、脚部フレームを完全に開いた状態（開脚状態）のロック位置まで開く必要がある。
【００５８】
これに対して、開閉制御装置の付勢力が、調整自在に構成されていれば、脚部フレームを完全に開いた状態（開脚状態）のロック位置まで自動で開き、ロックする状態とすることができ、便利である。
【００５９】
また、作業者の好みに応じて、ゆっくり開いたり、迅速に開いたりするように調整することができ便利である。
【発明の効果】
【００６０】
本発明によれば、脚部フレームの壁紙糊付機本体に対する開閉を制御する開閉制御装置を備えており、開閉制御装置が、脚部フレームを壁紙糊付機本体に対して閉じる方向に付勢するように構成されている。
【００６１】
従って、この開閉制御装置の脚部フレームを壁紙糊付機本体に対して閉じる方向に付勢する付勢力によって、脚部フレームを閉じた状態（閉脚状態）でロックした状態から、そのロックを解除した場合にも、脚部フレームが、その自重によって、振り子運動で９０度開いた状態となることがなく、ゆっくりと、閉じた状態（閉脚状態）から開いた状態（開脚状態）となる。
【００６２】
これにより、脚部フレームが、閉じた状態（閉脚状態）から、急激に開いた状態（開脚状態）になることがなく、開く際にも強い衝撃が発生することなく、脚部フレームが、足に当たることなく、指などを詰めず、ゲガをするおそれのない安全で便利な自動壁紙糊付機を提供することができる。
【図面の簡単な説明】
【００６３】
【図１】図１は、本発明の自動壁紙糊付機１０の斜視図である。
【図２】図２は、図１の自動壁紙糊付機のＡ方向の概略側面図である。
【図３】図３は、図２の部分拡大図である。
【図４】図４は、基台フレーム１１において、水平支持フレーム１３に対して、脚部フレーム１６を開いた状態（開脚状態）とした状態を説明する図２のＢ方向の矢視図である。
【図５】図５は、基台フレーム１１において、水平支持フレーム１３に対して、脚部フレーム１６を閉じた状態（閉脚状態）とした状態を説明する図２のＢ方向の矢視図である。
【図６】図６は、図４のＣ方向の矢視図である。
【図７】図７は、図４の部分拡大図である。
【図８】図８は、図５の部分拡大図である。
【図９】図９は、水平支持フレーム１３に対して、脚部フレーム１６を開いた状態（開脚状態）でロックした状態を説明する部分拡大図である。
【図１０】図１０は、水平支持フレーム１３に対して、脚部フレーム１６を開いた状態（開脚状態）のロックを解除した状態を説明する部分拡大図である。
【図１１】図１１は、水平支持フレーム１３に対して、閉じた状態（閉脚状態）でロックした状態を説明する部分拡大図である。
【図１２】図１２は、本発明の別の実施例の自動壁紙糊付機１０の図２と同様な概略側面図である。
【図１３】図１３は、図１２の部分拡大図である。
【図１４】図１４は、基台フレーム１１において、水平支持フレーム１３に対して、脚部フレーム１６を開いた状態（開脚状態）とした状態を説明する図１２のＢ方向の矢視図である。
【図１５】図１５は、基台フレーム１１において、水平支持フレーム１３に対して、脚部フレーム１６を閉じた状態（閉脚状態）とした状態を説明する図１２のＢ方向の矢視図である。
【図１６】図１６は、図１６は、図１４の上面図である。
【図１７】図１７は、特許文献１の自動壁紙糊付機２００の側面図である。
【発明を実施するための形態】
【００６４】
以下、本発明の実施の形態（実施例）を図面に基づいてより詳細に説明する。
（実施例１）
【００６５】
図１は、本発明の自動壁紙糊付機１０の斜視図、図２は、図１の自動壁紙糊付機のＡ方向の概略側面図、図３は、図２の部分拡大図、図４は、基台フレーム１１において、水平支持フレーム１３に対して、脚部フレーム１６を開いた状態（開脚状態）とした状態を説明する図２のＢ方向の矢視図、図５は、基台フレーム１１において、水平支持フレーム１３に対して、脚部フレーム１６を閉じた状態（閉脚状態）とした状態を説明する図２のＢ方向の矢視図、図６は、図４のＣ方向の矢視図、図７は、図４の部分拡大図、図８は、図５の部分拡大図、図９は、水平支持フレーム１３に対して、脚部フレーム１６を開いた状態（開脚状態）でロックした状態を説明する部分拡大図、図１０は、水平支持フレーム１３に対して、脚部フレーム１６を開いた状態（開脚状態）のロックを解除した状態を説明する部分拡大図、図１１は、水平支持フレーム１３に対して、閉じた状態（閉脚状態）でロックした状態を説明する部分拡大図である。
【００６６】
図１〜図１１において、符号１０は、全体で本発明の自動壁紙糊付機を示している。
【００６７】
図１〜図２に示したように、自動壁紙糊付機１０は、壁紙糊付機本体１２を備えている。
【００６８】
また、壁紙糊付機本体１２は、上部が開放して糊付される壁紙の搬送を見ることができる状態の略箱体形状の本体フレーム１４を備えている。
【００６９】
さらに、本体フレーム１４の下方には、基台フレーム１１を備えており、この基台フレーム１１は、図２に示したように、壁紙糊付機本体１２（本体フレーム１４）を支持する略矩形状の水平支持フレーム１３を備えている。
【００７０】
そして、本体フレーム１４の左右の側部の両端の下方には、図１の矢印Ｊで示したように、水平支持フレーム１３に対して開閉可能に装着された一対の脚部フレーム１６を備えている。
【００７１】
なお、基台フレーム１１と壁紙糊付機本体１２（本体フレーム１４）とは、運搬性を考慮して、図２に示したように、例えば、いわゆる「パチン錠」などの締結部材１５によって、脱着自在な構成となっている。
【００７２】
この本体フレーム１４は、図１に示したように、上部フレーム１８と、下部フレーム２０とから構成されている。そして、上部フレーム１８の上部には、左右方向に離間して配置された一対の把手１８ｃを備えている。
【００７３】
この把手１８ｃを把持して操作することによって、後述するように、壁紙Ｇを壁紙糊付機本体１２に配置したり、メンテナンスのために、下部フレーム２０に対して、図示しないピボット軸を回動中心として、図１の矢印Ｉで示したように、開閉可能なように構成されている。
【００７４】
なお、図示しないが、上部フレーム１８と、下部フレーム２０には、上部フレーム１８を下部フレーム２０に対して閉じた状態で固定するために、例えば、いわゆる「パチン錠」などの係止具が設けられている。
【００７５】
また、上部フレーム１８は、左右の側部を構成する、側板部１８ａ、１８ｂを備えている。
【００７６】
一方、図１に示したように、脚部フレーム１６の下端には、係止可能なローラー２４が設けられており、これにより、自動壁紙糊付機１０を所望の位置に移動、配置することが可能になっている。
【００７７】
さらに、図１に示したように、下部フレーム２０は、左右の側部を構成する、側板部２０ａ、２０ｂを備えている。この下部フレーム２０の一方の側板部２０ａには、歯車連結機構などの駆動装置を内蔵するとともに、自動壁紙糊付機１０を制御するための制御装置や駆動モーターが内蔵された駆動部２６が設けられている。
【００７８】
また、この駆動部２６の下流側、すなわち、図１において手前側には、測定された壁紙の長さ（測長結果）を表示したり、駆動モーターを駆動制御したり、壁紙Ｇの種類などの情報を入力するための表示・操作パネル部２８が設けられている。なお、この駆動部２６は、下部フレーム２０の一方の側板部２０ａに脱着自在に構成されているか、または、固着されている。
【００７９】
さらに、図１〜図２に示したように、一対の脚部フレーム１６には、壁紙Ｇが巻かれた壁紙原反ロール３２を回転可能に、かつ、脱着自在に装着するための原反装着架台３４が設けられている。
【００８０】
そして、図２に示したように、壁紙原反ロール３２から送り出された壁紙Ｇは、下部フレーム２０の上流側に送り出されるようになっている。
【００８１】
そして、図示しないが、従来公知の壁紙糊付機本体１２の糊付け機構によって、原反装着架台３４の壁紙原反ロール３２から送り出された壁紙壁紙Ｇは、自動壁紙糊付機１０の壁紙糊付機本体１２を通過することによって、壁紙Ｇの裏面ＧＢに糊が塗布される。
なお、原反装着架台３４は、図１においては、側面視で、略三角形状、図２においては、略Ｌ字形状としているが、この形状は、特に限定されるものではない。
【００８２】
そして、必要に応じて、適宜、乾燥防止用フィルムＢ、カットテープＣが、壁紙Ｇの裏面ＧＢの糊付け面に貼着された壁紙Ｇが、手動または自動で、別途図示しない巻取り装置で巻き取られるようになっている。
【００８３】
または、図１の点線で示したように、一対の脚部フレーム１６の間に設けられた傾斜した略板形状の壁紙受け部３０、または、そのまま床上において、図１において手前側の壁紙排出部２９から排出された糊付けされた壁紙Ｇを受ける壁紙糊付機本体１２の下方に手動で折り畳むように構成されている。
【００８４】
ところで、施工現場に専用の自動壁紙糊付機１０を持ち込んで、自動壁紙糊付機１０を用いて壁紙の裏面に糊付けをして施工する場合、施工現場への搬入時などには、例えば、いわゆる「パチン錠」などの締結部材１５による締結状態を解除して、基台フレーム１１と壁紙糊付機本体１２（本体フレーム１４）とを別々に、トラックなどに積み込んで搬送している。
【００８５】
または、施工現場において壁紙施工が終了した後、現場からトラックまで、上記の「パチン錠」などの締結部材１５による締結状態を解除して、基台フレーム１１と壁紙糊付機本体１２（本体フレーム１４）とを別々に搬送している。
そして、トラックに積み込む際には、基台フレーム１１と壁紙糊付機本体１２（本体フレーム１４）とを、上記「パチン錠」などの締結部材１５により締結して、トラックなどに積み込んで搬送している。
【００８６】
この際、基台フレーム１１は、図１の矢印Ｊで示したように、水平支持フレーム１３に対して、一対の脚部フレーム１６は閉じた状態（閉脚状態）にしている。
【００８７】
そして、トラックなどから降ろして、施工現場まで搬送する際には、基台フレーム１１は、図１の矢印Ｊで示したように、水平支持フレーム１３に対して、一対の脚部フレーム１６は開いた状態（開脚状態）にしている。
【００８８】
そして、別々に、トラックなどに積み込んで搬送した場合においては、いわゆる「パチン錠」などの締結部材による締結状態にして、基台フレーム１１上に、壁紙糊付機本体１２（本体フレーム１４）を固定して、自動壁紙糊付機１０を組み立てている。
【００８９】
この状態で、脚部フレーム１６の下端に設けられた係止可能なローラー２４を利用して、自動壁紙糊付機１０を施工現場まで運搬している。
【００９０】
ところで、この際には、特許文献１（特許第４９４７６２９号公報）に開示される構成と同様に、水平支持フレーム１３に対して、一対の脚部フレーム１６を、開いた状態（開脚状態）、閉じた状態（閉脚状態）で、確実にロックできるように構成となっている。
【００９１】
具体的には、図２、図９〜図１１に示したように、脚部フレーム１６の前方脚部フレーム１６ａと、後方脚部フレーム１６ｂには、それぞれ内側に、脚部フレームロック制御装置３１が備えられている。
【００９２】
そして、これらの脚部フレームロック制御装置３１は、シリンダー部材３３を備えており、シリンダー部材３３の内部には、上下動移動自在なピストン部材３５が上下移動可能に装着されている。
【００９３】
このピストン部材３５のピストン棒３７の基端部３７ａには、図２に示したように、前方脚部フレーム１６ａと、後方脚部フレーム１６ｂとの間に架け渡すように、ピストン棒３７の基端部３７ａに固定された操作棒部材３６が固定されている。
【００９４】
一方、シリンダー部材３３の内部には、ピストン部材３５の先端の拡径部３８との間に、圧縮状態でバネ部材などの付勢部材４０が介装されている。
【００９５】
これにより、ピストン部材３５の先端の拡径部３８は、下方向（脚部フレーム１６の下端方向）に付勢されるようになっている。また、ピストン部材３５の先端の拡径部３８には、ピボット軸４２、４４によって、ロックリンク機構４６の第１のリンク部材４８が回動自在に装着されている。
【００９６】
また、ロックリンク機構４６の第１のリンク部材４８の上方には、長穴５３が形成されており、この長穴５３内をスライドできるように、ロックリンク機構４６の第２のリンク部材５０の下端に形成された支持軸部材５２が装着されている。
【００９７】
さらに、ロックリンク機構４６の第２のリンク部材５０の上端は、ピボット軸５１を介して、それぞれ、水平支持フレーム１３に回動可能に装着されている。
【００９８】
また、脚部フレーム１６（前方脚部フレーム１６ａと後方脚部フレーム１６ｂ）には、それぞれ、ストッパー棒部材５４が固着されており、このストッパー棒部材５４が、ロックリンク機構４６の第１のリンク部材４８に形成された第１のストッパー切り欠き５６、ロックリンク機構４６の第２のリンク部材５０に形成された第２のストッパー切り欠き５８と、それぞれ係止されることによって、開いた状態（開脚状態）、閉じた状態（閉脚状態）で、確実にロックできるように構成となっている。
【００９９】
すなわち、図９に示したように、開いた状態（開脚状態）では、ロックリンク機構４６の第１のリンク部材４８に形成された第１のストッパー切り欠き５６内に、脚部フレーム１６に固着されたストッパー棒部材５４が係止された状態となっており、開いた状態（開脚状態）でロックされた状態となっている。
【０１００】
この状態から、閉じた状態（閉脚状態）とするには、操作棒部材３６を、手で把持して、付勢部材４０の付勢力に抗して上方へと移動させる。
【０１０１】
これにより、操作棒部材３６に連結されたピストン棒３７、ピストン部材３５の先端の拡径部３８が、付勢部材４０の付勢力に抗して上方へと移動する。
【０１０２】
この操作によって、図１０の矢印Ｄに示したように、ロックリンク機構４６の第１のリンク部材４８と第２のリンク部材５０とが回動して、第１のリンク部材４８に形成された第１のストッパー切り欠き５６と、脚部フレーム１６に固着されたストッパー棒部材５４との係止状態が解除されるようになっている。
【０１０３】
この際には、図９〜図１０に示したように、ロックリンク機構４６の第２のリンク部材５０の下端に形成された支持軸部材５２が、ロックリンク機構４６の第１のリンク部材４８の長穴５３内を上方から、下方へと移動するようになっている。
【０１０４】
そして、手などで、図１０〜図１１に示したように、脚部フレーム１６を、図１０、図１１の矢印Ｅに示したように、開いた状態（開脚状態）から閉じた状態（閉脚状態）へと移動させる。
【０１０５】
図１１に示したように、閉じた状態（閉脚状態）では、手で把持していた操作棒部材３６を離すことによって、操作棒部材３６に連結されたピストン棒３７、ピストン部材３５の先端の拡径部３８が、付勢部材４０の付勢力によって下方へと移動する。
【０１０６】
これにより、図１１の矢印Ｆに示したように、ロックリンク機構４６の第１のリンク部材４８と第２のリンク部材５０とが回動して、第２のリンク部材５０に形成された第２のストッパー切り欠き５８と、脚部フレーム１６に固着されたストッパー棒部材５４とが係止状態となり、閉じた状態（閉脚状態）でロックされた状態となっている。
【０１０７】
ところで、図１７に示したように、従来の自動壁紙糊付機２００では、では、水平支持フレームに対して、脚部フレーム２０６を、閉じた状態（閉脚状態）でロックした状態から、そのロックを解除した場合には、水平支持フレームに対して、脚部フレーム２０６がフリーの状態となる。
【０１０８】
これにより、脚部フレーム２０６が、その自重によって、振り子運動で９０度開いた状態となってしまうことになる。このように、脚部フレーム２０６が、閉じた状態（閉脚状態）から、急激に開いた状態（開脚状態）になってしまうと、開く際に強い衝撃があり、足に当たったり、指などを詰め、ゲガをするおそれがある。
【０１０９】
このため、本発明の自動壁紙糊付機１０では、脚部フレーム１６を閉じた状態（閉脚状態）でロックした状態から、そのロックを解除した場合にも、脚部フレーム１６が、その自重によって、振り子運動で９０度開いた状態となることがなく、ゆっくりと、閉じた状態（閉脚状態）から開いた状態（開脚状態）となるように、脚部フレーム１６の壁紙糊付機本体１２に対する開閉を制御する開閉制御装置１００を備えている。
【０１１０】
そして、開閉制御装置１００が、脚部フレーム１６を壁紙糊付機本体１２に対して閉じる方向に付勢するように構成されている。
【０１１１】
具体的には、開閉制御装置１００は、図３〜図８に示したような構成となっている。
【０１１２】
すなわち、開閉制御装置１００は、脚部フレーム１６の水平支持フレーム１３に対する開閉を制御する開閉制御装置１００を構成している。すなわち、開閉制御装置１００が、脚部フレーム１６を水平支持フレーム１３に対して閉じる方向に付勢するように構成されている。
【０１１３】
図３〜図８に示したように、開閉制御装置１００は、水平支持フレーム１３と脚部フレーム１６との間に連結されたアーム部材１０２を備えている。すなわち、図４〜図８に示したように、この実施例では、脚部フレーム１６のストッパー棒部材５４の下方に、固定ブラケット１０４が固定されている。
【０１１４】
そして、この固定ブラケット１０４に、ピボット軸１０６を介して、アーム部材１０２の一方の連結端１０８が回動可能に連結されている。
【０１１５】
また、この実施例では、水平支持フレーム１３の内部に、アーム部材１０２の他方の端部１１０が連結される開閉付勢機構１１２を備えている。
【０１１６】
この開閉付勢機構１１２は、水平支持フレーム１３の内部に、固定状態で設けられたアーム部材１０２の他方の端部１１０を水平方向に案内する案内部材を構成するスライドシャフト１１４が固定されている。
すなわち、図６に示したように、水平支持フレーム１３に固定した固定用フランジ１０１、１０１の間に、スライドシャフト１１４が固定されている。
【０１１７】
このスライドシャフト１１４には、アーム部材１０２の他方の端部１１０にピボット軸１１６を介して回動可能に連結されたスライド部材１１７が挿通され、スライド部材１１７が、スライドシャフト１１４に案内されて水平方向に移動できるように構成されている。
【０１１８】
なお、水平支持フレーム１３の下端には、スライド用開口部１１５が形成されており、このスライド用開口部１１５を介して、アーム部材１０２の他方の端部１１０（スライド部材１１７）が、スライドシャフト１１４に案内されて水平方向に移動できるように構成されている。
【０１１９】
また、スライドシャフト１１４には、付勢機構１１８を備えている。この付勢機構１１８は、アーム部材１０２の他方の端部１１０（スライド部材１１７）を、図３〜図８の矢印Ｈ方向に付勢して、脚部フレーム１６を水平支持フレーム１３に対して閉じる方向に付勢するように構成されている。
【０１２０】
具体的には、この実施例では、付勢機構１１８は、スライド部材１１７の外側（左側）に配置されたに配置された、圧縮状態で介装された付勢部材１２０から構成されている。
【０１２１】
この実施例の場合には、付勢部材１２０は、スライドシャフト１１４の外周に、圧縮状態で介装されたバネ部材から構成されている。これにより、アーム部材１０２の他方の端部１１０（スライド部材１１７）を、図４〜図８の矢印Ｈ方向に付勢して、脚部フレーム１６を水平支持フレーム１３に対して閉じる方向に付勢するように構成されている。
【０１２２】
なお、図示しないが、スライド部材１１７の、図３〜図８において、スライド部材１１７の内側（右側）に配置された第１の付勢部材、図３〜図８において、外側（左側）に配置された第２の付勢部材とから構成しても良い。
【０１２３】
そして、この場合には、第２の付勢部材の付勢力（バネ力）の方が、第１の付勢部材の付勢力（バネ力）よりも大きく構成されており、これにより、アーム部材１０２の他方の端部１１０（スライド部材１１７）を、図４〜図８の矢印Ｈ方向に付勢して、脚部フレーム１６を水平支持フレーム１３に対して閉じる方向に付勢するように構成しても良い。
【０１２４】
また、この実施例では、付勢機構１１８は、スライド部材１１７の外側（左側）に配置されたに配置された、圧縮状態で介装された付勢部材１２０から構成したが、スライド部材１１７の内側（右側）に配置された、引っ張り状態で介装された付勢部材１２０から構成することも可能である。
【０１２５】
また、付勢機構１１８は、この実施例の場合には、バネ部材を採用したが、例えば、ゴム部材、油圧シリンダー、液圧シリンダー、空気圧シリンダー、その他の公知の付勢部材を採用することが可能である。
【０１２６】
また、この実施例では、アーム部材１０２の一方の連結端１０８を、脚部フレーム１６に連結して、アーム部材１０２の他方の端部１１０を連結する開閉付勢機構１１２を、水平支持フレーム１３の内部に形成した。
【０１２７】
しかしながら、図示しないが、これとは逆に、アーム部材１０２の一方の連結端１０８を、水平支持フレーム１３に連結して、アーム部材１０２の他方の端部１１０を連結する開閉付勢機構１１２を、脚部フレーム１６の内部に形成することも勿論可能である。
【０１２８】
また、開閉制御装置１００が、水平支持フレーム１３の少なくとも１つの角部に設けられていれば良い。
【０１２９】
さらに、開閉制御装置１００の付勢力が、調整自在に構成されていても良い。
【０１３０】
このように、開閉制御装置１００の付勢力が、調整自在に構成されていれば、例えば、開閉制御装置１００による、脚部フレーム１６を壁紙糊付機本体１２に対して閉じる方向に付勢する付勢力が大きいと、脚部フレーム１６を開いた状態の途中で止まってしまい、さらに、作業者が手などで、脚部フレーム１６を、脚部フレーム１６を完全に開いた状態（開脚状態）のロック位置まで開く必要がある。
【０１３１】
これに対して、開閉制御装置１００の付勢力が、調整自在に構成されていれば、脚部フレーム１６を完全に開いた状態（開脚状態）のロック位置まで自動で開き、ロックする状態とすることができ、便利である。
【０１３２】
また、作業者の好みに応じて、ゆっくり開いたり、迅速に開いたりするように調整することができ便利である。
【０１３３】
このように構成することによって、本発明の自動壁紙糊付機１０によれば、脚部フレーム１６の水平支持フレーム１３に対する開閉を制御する開閉制御装置１００を備えており、開閉制御装置１００が、脚部フレーム１６を水平支持フレーム１３に対して閉じる方向に付勢するように構成されている。
【０１３４】
従って、この開閉制御装置１００の脚部フレーム１６を水平支持フレーム１３に対して閉じる方向に付勢する付勢力（開閉付勢機構１１２の付勢機構１１８の付勢力）によって、脚部フレーム１６を閉じた状態（閉脚状態）でロックした状態から、そのロックを解除した場合にも、脚部フレーム１６が、その自重によって、振り子運動で９０度開いた状態となることがなく、ゆっくりと、閉じた状態（閉脚状態）から開いた状態（開脚状態）となる。
【０１３５】
これにより、脚部フレーム１６が、閉じた状態（閉脚状態）から、急激に開いた状態（開脚状態）になることがなく、開く際にも強い衝撃が発生することなく、脚部フレーム１６が、足に当たることなく、指などを詰めず、ゲガをするおそれのない安全で便利な自動壁紙糊付機を提供することができる。
（実施例２）
【０１３６】
図１２は、本発明の別の実施例の自動壁紙糊付機１０の図２と同様な概略側面図、図１３は、図１２の部分拡大図、図１４は、基台フレーム１１において、水平支持フレーム１３に対して、脚部フレーム１６を開いた状態（開脚状態）とした状態を説明する図１２のＢ方向の矢視図、図１５は、基台フレーム１１において、水平支持フレーム１３に対して、脚部フレーム１６を閉じた状態（閉脚状態）とした状態を説明する図１２のＢ方向の矢視図、図１６は、図１４の上面図である。
【０１３７】
この実施例の自動壁紙糊付機１０は、図１〜図１１に示した自動壁紙糊付機１０と基本的には同様な構成であり、同一の構成部材には、同一の参照番号を付して、その詳細な説明を省略する。
【０１３８】
上記の実施例１では、水平支持フレーム１３の内部に、アーム部材１０２の他方の端部１１０が連結される開閉制御装置１００の開閉付勢機構１１２を備えている。
【０１３９】
これに対して、この実施例の自動壁紙糊付機１０では、開閉制御装置１００の開閉付勢機構１１２が、水平支持フレーム１３の外部に設けられている。
【０１４０】
すなわち、この実施例の自動壁紙糊付機１０では、開閉制御装置１００の開閉付勢機構１１２が、水平支持フレーム１３の外部の内側の側部に設けられている。
なお、開閉制御装置１００の開閉付勢機構１１２が、水平支持フレーム１３の外部の外側の側部、外側の上側、外側の下側などいずれの箇所に設けられていても良い。
【０１４１】
このように、開閉制御装置１００の開閉付勢機構１１２が、水平支持フレーム１３の外部に設けられていても良い。
【０１４２】
また、実施例１と同様に、開閉制御装置１００の開閉付勢機構１１２が、脚部フレーム１６の外部に設けられていても良い。
【０１４３】
このように構成することによって、開閉制御装置１００（開閉付勢機構１１２）が故障などした場合にも、部品などの交換が容易であって便利である。
【０１４４】
以上、本発明の好ましい実施の態様を説明してきたが、本発明はこれに限定されることはなく、この実施例では、基台フレーム１１が、壁紙糊付機本体１２（本体フレーム１４）を支持する略矩形状の水平支持フレーム１３と、水平支持フレーム１３に対して開閉可能に装着された一対の脚部フレーム１６備えるように構成されているが、水平支持フレーム１３を省略して、直接、一対の脚部フレーム１６が、壁紙糊付機本体１２（本体フレーム１４）に開閉自在に装着されているタイプの自動壁紙糊付機１０に適用することが可能であるなど本発明の目的を逸脱しない範囲で種々の変更が可能である。
【産業上の利用可能性】
【０１４５】
本発明は、壁紙（クロス）の裏面に、例えば、天井、壁面に貼着するための糊を、自動的に塗布するめの自動壁紙糊付機であって、壁紙糊付機本体を支持する略矩形状の水平支持フレームと、水平支持フレームに対して、開閉可能に軸支された脚部フレームとを備えた自動壁紙糊付機において、運搬時、設置時において、不用意に水平支持フレームに対して、脚部フレームが開いた状態（開脚状態）となることのない自動壁紙糊付機に適用することができる。
【符号の説明】
【０１４６】
１０    自動壁紙糊付機
１１    基台フレーム
１２    壁紙糊付機本体
１３    水平支持フレーム
１４    本体フレーム
１５    締結部材
１６    脚部フレーム
１６ａ    前方脚部フレーム
１６ｂ    後方脚部フレーム
１８    上部フレーム
１８ａ、１８ｂ    側板部
１８ｃ    把手
２０    下部フレーム
２０ａ、２０ｂ    側板部
２４    ローラー
２６    駆動部
２８    表示・操作パネル部
２９    壁紙排出部
３０    壁紙受け部
３１    脚部フレームロック制御装置
３２    壁紙原反ロール
３３    シリンダー部材
３５    ピストン部材
３４    原反装着架台
３６    操作棒部材
３７    ピストン棒
３７ａ    基端部
３８    拡径部
４０    付勢部材
４２、４４    ピボット軸
４６    ロックリンク機構
４８    第１のリンク部材
５０    第２のリンク部材
５１    ピボット軸
５２    支持軸部材
５３    長穴
５４    ストッパー棒部材
５６    第１のストッパー切り欠きー切り欠き
５８    第２のストッパー切り欠き
１００    開閉制御装置
１０１    固定用フランジ
１０２    アーム部材
１０４    固定ブラケット
１０６    ピボット軸
１０８    連結端
１１０    他方の端部
１１２    開閉付勢機構
１１４    スライドシャフト
１１５    スライド用開口部
１１６    ピボット軸
１１７    スライド部材
１１８    付勢機構
１２０    付勢部材
２００    自動壁紙糊付機
２０１    基台フレーム
２０２    壁紙糊付機本体
２０４    本体フレーム
２０６    脚部フレーム
２０８    上部フレーム
２０８ａ、２０８ｂ    側板部
２０８ｃ    把手
２１０    下部フレーム
２１０ａ、２１０ｂ    側板部
２１４    ローラー
２１６    駆動部
２１８    表示・操作パネル部
２１９    壁紙排出部
２２０    壁紙受け部
２２２    壁紙原反ロール
２２４    原反装着架台
Ｂ    乾燥防止用フィルム
Ｃ    カットテープ
Ｄ    矢印
Ｅ    矢印
Ｆ    矢印
Ｇ    壁紙
Ｇ    壁紙壁紙
ＧＢ    裏面
Ｈ    矢印
Ｉ    矢印
Ｊ    矢印
【図１】
2020104468.tif 000003
【図２】
2020104468.tif 000004
【図３】
2020104468.tif 000005
【図４】
2020104468.tif 000006
【図５】
2020104468.tif 000007
【図６】
2020104468.tif 000008
【図７】
2020104468.tif 000009
【図８】
2020104468.tif 000010
【図９】
2020104468.tif 000011
【図１０】
2020104468.tif 000012
【図１１】
2020104468.tif 000013
【図１２】
2020104468.tif 000014
【図１３】
2020104468.tif 000015
【図１４】
2020104468.tif 000016
【図１５】
2020104468.tif 000017
【図１６】
2020104468.tif 000018
【図１７】
2020104468.tif 000019